(57)【要約】      （修正有）【課題】柔軟性のある領域を介して力を伝える時に十分な強度及び剛性を維持でき、かつ洗浄不足を防ぐ、回転組織切除器具に用いる細長い管状アセンブリを提供する。【解決手段】回転外科用切除器具の角度の付いた外側管状部材内で回転可能な内側部材２０は、第１及び第２管状部材２４、２６を含む。第１管状部材は、第１素材から構成される剛性の近位部３０及び遠位部３２ならびに第２素材から構成される柔軟性のある中間部を含む。近位部は、ハブ４６を含む。遠位部は、切除先端部と連結するよう構成された遠位端部４８で終結している。中間部は、近位部と遠位部の間に延び、近位部と遠位部に固着される。【選択図】図２
2020203108.tif 000002
【特許請求の範囲】
【請求項１】
回転外科用切除器具の角度付き外側管状部材内で回転可能な内側部材であって、
第１管状部材を備え、
前記第１管状部材は、
第１素材から構成される剛性の近位部であって、前記前記近位部はハブを含む、前記近位部と、
第２素材から構成される柔軟性のある中間部と、
前記第１素材を備える剛性の遠位部であって、前記遠位部は切除先端部と連結するよう構成された遠位端部で終結する、前記遠位部と、を備え、
前記柔軟性のある中間部は、前記近位部と前記遠位部の間に延び、前記近位部と前記遠位部に固着される、前記内側部材。
【請求項２】
少なくとも前記中間部に沿って前記第１管状部材の周囲で同軸上に配置された第２管状部材であって、前記第２管状部材は、中央部分に沿う第１方向でらせん状にカットされる、前記第２管状部材をさらに備え、
前記第２管状部材の第１端部が、前記第１管状部材の前記近位部に固着され、前記第２管状部材の第２端部が、前記第１管状部材の前記遠位部に固着され、かつ、
前記中間部の周囲に配置された前記中央部分が、前記外側管状部材内で回転する際に前記内側部材が曲がることを可能にする柔軟性のある領域を画定する、請求項１に記載の前記内側部材。
【請求項３】
前記第２管状部材の周囲で同軸上に配置された第３管状部材をさらに備え、
前記第３管状部材が、中央部分に沿う第２方向でらせん状にカットされ、かつ前記第３管状部材の前記中央部分が、前記第２管状部材の前記中央部分の上に配置される、請求項２に記載の前記内側部材。
【請求項４】
前記第３管状部材が、前記第２管状部材の前記中央部分の長さに沿って完全に延び、かつ前記第２管状部材の対向する剛性の近位部分及び遠位部分で終結する、請求項３に記載の前記内側部材。
【請求項５】
前記第２管状部材が、前記近位部及び遠位部に沿って前記第３管状部材より先に延びる、請求項３に記載の前記内側部材。
【請求項６】
前記柔軟性のある中間部の前記第２素材が熱可塑性素材である、請求項１に記載の前記内側部材。
【請求項７】
前記遠位部及び近位部の前記第１素材がステンレス鋼である、請求項１に記載の前記内側部材。
【請求項８】
前記第２管状部材がステンレス鋼で構成される、請求項２に記載の前記内側部材。
【請求項９】
前記第２管状部材が、前記中央部分の遠位端部上の遠位部分と前記中央部分の近位端部上の近位部分を含み、前記遠位部分及び近位部分がらせん状にカットされていない、請求項２に記載の前記内側部材。
【請求項１０】
回転外科用器具の角度付き外側管状部材内で回転可能な内側部材であって、
近位部、遠位部、及び前記近位部と前記遠位部の間にのび、かつ前記近位部と前記遠位部に固着される中間部を有する第１管状部材を備え、
前記近位部及び遠位部が剛性素材から構成され、かつ前記中間部が柔軟性のある熱可塑
性素材から構成される、前記内側部材。
【請求項１１】
前記中間部に沿う前記第１管状部材の周囲で同軸上に配置された第２管状部材であって、前記第２管状部材が近位部分、遠位部分、及び前記近位部分と前記遠位部分の間に延びる中央部分を有し、前記中央部分は柔軟性があり、かつ前記近位及び遠位部分は剛性がある、前記第２管状部材をさらに備え、
前記近位部分が前記近位部に取り付けられ、かつ前記遠位部分が前記遠位部へと取り付けられ、かつ、
前記中間部の上に配置された前記中央部分が、外側管状部材の角度の付いた領域に適合する前記内側部材の柔軟性のある領域を画定する、請求項１０に記載の前記内側部材。
【請求項１２】
前記第２管状部材の周囲で同軸上に配置された第３管状部材をさらに備え、前記第３管状部材が近位部分、遠位部分、及び前記近位部分と前記遠位部分の間に延びる中央部分を有し、前記中央部分は柔軟性があり、かつ前記近位部分及び遠位部分は剛性がある、請求項１１に記載の前記内側部材。
【請求項１３】
前記第２管状部材の周囲で同軸上に配置された第３管状部材をさらに備え、前記第３管状部材が熱可塑性素材から構成される、請求項１１に記載の前記内側部材。
【請求項１４】
前記第２管状部材が、前記第３管状部材の長さよりも長い長さを有する、請求項１２に記載の前記内側部材。
【請求項１５】
前記第２管状部材の前記中央部分が、縦軸からオフセットされた第１角度でらせん状にカットされ、かつ前記第３管状部材の前記中央部分が、前記第１角度とは異なる第２角度でらせん状にカットされた、請求項１２に記載の前記内側部材。
【請求項１６】
前記第２管状部材の対向端部が、前記第１管状部材の前記近位及び遠位部分に接着される、請求項１１に記載の前記内側部材。
【請求項１７】
前記中央部分がらせん状にカットされた、請求項１１に記載の前記内側部材。
【請求項１８】
角度付き回転組織切除器具であって、
遠位端部、対向する近位端部、及び前記遠位端部及び近位端部間の角度の付いた領域に形成された切除窓を有する剛性の外側管状部材と、
前記外側管状部材内で同軸上に配置された内側管状部材であって、前記内側管状部材は、第１管状部材であって、近位部、切除先端部で終結する遠位部、及び前記近位部と前記遠位部の間に延びる中間部を有し、前記中間部は柔軟性のある素材から構成され、かつ前記近位部及び遠位部は剛性素材から構成される、前記第１管状部材と、を備える、前記内側管状部材と、
前記切除窓で前記切除先端部が選択的に露出するよう、前記外側部材内で前記内側部材を回転させるよう構成されたハンドピースと、
を備え、
前記内側管状部材の前記中間部が、前記外側管状部材内で回転する時に角度の付いた領域と適合する、前記角度付き回転組織切除器具。
【請求項１９】
前記内側管状部材が、前記中間部に沿う前記第１管状部材の周囲で同軸上に配置された第２管状部材であって、
前記第２管状部材が、近位部分、遠位部分、及び前記近位部分と前記遠位部分の間に延びる中央部分を有し、前記中央部分は柔軟性があり、かつ前記近位及び遠位部分は剛性がある、前記第２管状部材をさらに備え、
前記中央部分が前記内側管状部材の柔軟性のある領域を画定するよう前記中間部の周囲に配置され、
前記近位部分が前記近位部に取り付けられ、かつ前記遠位部分が前記遠位部へと取り付けられた、請求項１８に記載の前記外科用切除器具。
【請求項２０】
前記ハンドピースが前記内側管状部材を振動させ、前記内側管状部材が前記第２管状部材の周囲で同軸上に配置された第３管状部材をさらに備え、
前記第３管状部材が、前記第２管状部材の前記中央部分に沿って延び、かつ前記第２管状部材の対向する前記遠位部分及び近位部分で終結し、かつ、
前記第３管状部材が少なくとも部分的に柔軟性がある、請求項１９に記載の前記外科用切除器具。
【発明の詳細な説明】
【背景技術】
【０００１】
角度付き回転組織切除器具は、患者の体内における手術部位で解剖学的組織を切除するための様々な外科的処置での使用に広く認められてきた。角度付き回転組織切除器具は、一般的に細長い角度付き外側部材と、角度付き外側部材内に回転可能に配置された細長い柔軟性のある内側部材を備える。内側部材が外側部材内で回転する時、内側部材の遠位端部にある切除エレメントは、手術部位で解剖学的組織を切除するために、外側部材の遠位端部にある開口部から露出する。通常、内側部材は外側及び内側部材の近位端に連結された動力付き外科用ハンドピースを介して外側部材内で回転し、ハンドピースは患者の身体の外部に保持されたままである。器具が患者の体内に導入される際に、特に器具が細いかまたは小さいサイズの、自然なまたは人工的に作られた進入開口部を通じて患者の体内に導入される際に、手術部位で切除エレメントの配置を容易にする角度付き構成を提供するよう、外側部材はその長さに沿って１°以上の角度を付けられたか、湾曲されたかまたは曲げられた領域を有する。外側部材の角度付き構成に従いつつ切除エレメントを回転させるための力を伝えるために、内側部材は、外側部材の１°以上に角度を付けられたか、湾曲されたかまたは曲げられた領域内に収容するための１つ以上の柔軟性のある領域と共に提供される。外側部材の角度付き構成は、手術部位への進入開口部における切除エレメントの配置を容易にする際に特に利点がある。こういったケースでは、外側部材が縦方向に真っ直ぐな回転組織切除器具よりも、角度付き回転組織切除器具の方が、手術部位へより容易に、かつ迅速にアクセスし、さらに患者への外傷をより低減するのに適している。
【０００２】
回転組織切除器具を用いて行われる多くの外科的処置では、内側部材の内腔は、内側部材を通じて解剖学的組織及び／または流体を吸引するために手術部位に吸引力を伝えるのに用いられる。さらに、外側部材の内径と内側部材の外径間の環状隙間または間隔は、手術部位に洗浄流体を供給するための洗浄経路として通常用いられる。湾曲したかまたは曲げられたシャフトを備えた回転組織切除器具がしばらくの間用いられてきた一方で、これらのシャフトは通常、力を伝えながら柔軟性を与えるために単一のらせん状に巻回した帯状材を採用する。残念ながら、らせん状に巻回したシャフト及び連結器は、巻き方向と逆に回転する時に巻き戻されやすいので、力が一方向に効率よく伝わるのみであり得る。内側部材が回転中に外側部材の角度付き構成に回転可能なように適合する際に、隙間を形成する柔軟性のある領域に沿う、らせん状カットまたはコイルを含む内側部材のせいで洗浄不足が起こり得る。洗浄不足は、多くの利用において致命的であり得る。例えば、神経的腫瘍切除装置においては、洗浄不足が装置の詰まりを引き起こし故障の原因となり得るような、微小電気機械（ＭＥＭ）コンポーネントがしばしば利用されている。耳−鼻−喉（ＥＮＴ）微小デブリーダのような他の装置では、装置は、切除先端部において十分な生理食塩水が行き届かないことによる洗浄不足での効果低減が起こり得る。
【０００３】
角度付き回転組織切除器具は、極めて有用でありつつける。特に角度付き回転組織切除器具が高回転速度で動作するよう設計され、硬いかまたは粘性の高い解剖学的組織を切除する時に加えられた力に耐える必要があることを考慮すると、柔軟性のある領域を介して力を伝える時に十分な強度及び剛性を維持でき、かつ洗浄不足を防ぐ、細長い管状アセンブリが求められる。
【発明の概要】
【０００４】
本開示の１つの態様は、回転外科用切除器具の角度付き外側管状部材内で回転可能な内側部材に関する。内側部材は、第１管状部材を含む。第１管状部材は、第１素材から構成される剛性の近位部を含む。近位部は、ハブを含む。柔軟性のある中間部は、第２素材から構成される。剛性の遠位部は、第１素材から構成される。遠位部は、切除先端部と連結
するよう構成された遠位端部で終結する。柔軟性のある中間部は、近位部と遠位部の間に延び、近位部と遠位部に固着される。
【０００５】
本開示の他の態様は、回転外科用切除器具の角度付き外側管状部材内で回転可能な内側部材に関し、内側部材は第１管状部材を含む。第１管状部材は、近位部、遠位部及び近位部と遠位部の間に延びる中間部を有する。近位部及び遠位部は、剛性素材で構成される。中間部は、柔軟性のある熱可塑性素材から構成される。
【０００６】
本開示の他の態様は、剛性の外側管状部材、内側管状部材、及びハンドピースを含む角度付き回転組織切除器具に関する。剛性の外側管状部材は、遠位端部、対向する近位端部、及び遠位端部と近位端部間の角度付き領域に形成された切除窓を有する。内側管状部材は、外側管状部材内で同軸上に配置される。内側管状部材は、第１管状部材を含む。第１管状部材は、近位部、切除端部で終結する遠位部、及び近位部と遠位部の間に延びる中間部を有する。中間部は柔軟性のある素材から構成され、近位端部及び遠位端部は剛性素材から構成される。切除窓で切除先端部が選択的に露出するように、ハンドピースは外側部材内で内側部材を回転させるよう構成される。内側管状部材の柔軟性のある領域は、外側管状部材内に回転する間、角度付き領域に適合する。
【図面の簡単な説明】
【０００７】
【図１】本開示の原理に従う、角度付き回転外科用切除器具の斜視図である。
【図２】本開示の原理に従う、図１の外科用切除器具の内側部材の斜視図である。
【図３】本開示の原理に従う、図２の内側部材アセンブリの曲げられていない構成での展開図である。
【図４】本開示の原理に従う、図１の外科用切除器具のブレードアセンブリの領域Ａにおける拡大部分断面図である。
【発明を実施するための形態】
【０００８】
本開示１０の原理に従う外科用切除器具の１つの実施形態を、図１で説明する。外科用切除器具１０は、切除ブレードアセンブリ１２及びハンドピース１４を含む（図１に概して参照される）。一般的には、切除ブレードアセンブリ１２は、ハンドピース１４に連結した近位端部及びカッター１６で終結する遠位端部を有する。切除ブレードアセンブリ１２は、細長い外側部材１８及び近位端部と遠位端部の間に延びる細長い内側部材２０を含む。内側部材２０は、外側部材１８内で同軸上に配置される。任意的に、切除ブレードアセンブリ１２は、外側部材１８と内側部材２０の間で同軸上に配置された中間管状部材（図示せず）を含み得る。
【０００９】
内側部材２０は、外側部材１８内で同軸上に配置され、それにより切除先端部がカッター１６の切除窓で露出するようになる。切除窓及び切除先端部（図示せず）は、カッター１６を形成するよう組み合わされ、所望の処置を実行するのに適したあらゆる切除窓及び切除先端部であり得る。ハブアセンブリ２２は、外側部材１８及び内側部材２０をそれぞれハンドピース１４に連結し、それにより管状部材１８、２０が互いに対して、かつハンドピース１４に対して回転可能となる。切除ブレードアセンブリ１２は、その長さに沿って、１つ以上の、湾曲したか、角度を付けられたか、または曲げられた領域を有し得る。湾曲したか、角度を付けられたかまたは曲げられたという用語は、本明細書においては区別なく同じ意味で用いられ得る。湾曲または曲げの位置及び角度は、望ましい外科的処置を適切に順応するようあらかじめ定められる。より詳細には、外側部材１８は、近位端部と遠位端部の間に適切な角度（複数可）を厳密に画定する。
【００１０】
図１をさらに参照すると、外側部材１８は、遠位端部、近位端部、及び近位端部と遠位端部の間に延びる中央内腔を画定する細長い管状体である。中央内腔は概して均一な直径
を画定し、かつ概して均一に滑らかである。内側部材２０は、外側部材１８の中央内腔内に保持され、それにより内側部材２０の外側表面と外側部材１８の内側表面が、組み立てられた時にカッター１６への洗浄経路を画定する。外側部材１８の中央内腔は、その内部に内側部材２０を同軸上に収容し、かつ内側部材２０と外側部材１８の両壁間に洗浄経路を保持するような寸法になっている。
【００１１】
一般的に、ハンドピース１４は、内側部材２０の回転動作を駆動するためのモータ（図示せず）を収容する筐体を含む。内部洗浄経路及び吸引経路（それぞれ図示せず）をそれぞれハンドピース１４に組み付けられた流体経路と流体的に連結するために、ハンドピース１４は内側部材２０と外側部材１８の近位端部を受ける。いずれにしても、ハンドピース１４内に形成された洗浄経路は、外側部材１８を通じて切除窓へと延びる。同様に、ハンドピース１４内に形成された吸引経路は、内側部材２０を通じて切除先端部へと流体的に延び、かつ吸引経路へと、さらには内側部材２０へと負圧、または真空を付与するための負圧源と流体連通する。
【００１２】
外科用器具１０における前述の一般構成を考慮して、切除ブレードアセンブリ１２の内側部材２０の態様が、図２により詳細に示される。内側部材２０は、開口近位端部と遠位端部に内腔を画定する。内側部材２０は、第１管状部材２４及び第１管状部材２４の周囲で同軸上に配置された第２管状部材２６を含む。いくつかの実施形態では、以下により詳細に論じられるように、内側部材２０は、第１管状部材２４と第２管状部材２６の周囲で同軸上に配置された第３管状部材２８を含む。
【００１３】
内側部材２０の態様は、図３の展開図に説明される。第１管状部材２４は、近位部３０、遠位部３２、及び近位部３０と遠位部３２の間に延びる中間部３４を有する。近位部３０及び遠位部３２は、例えばステンレス鋼といったような剛性素材で形成される。中間部３４は、例えばＰｅｂａｘ（登録商標）といったような柔軟性のある熱可塑性素材で形成される。中間部３４は、押圧変形への耐性がある。中間部３４の内面及び外面は、概して滑らかであり、かつ溝、カット等によって乱されない。第１管状部材２４は、内側部材２０と外側部材１８間の洗浄不足を防ぐために、管状表面に沿って流体バリアを維持する。
【００１４】
図４の部分的展開断面図をさらに参照すると、中間部３４の対向する第１端部３６ａ及び第２端部３６ｂは、近位部３０及び遠位部３２にそれぞれ連結される。近位部３０及び遠位部３２は、例えばＬｏｃｔｉｔｅ（登録商標）といったような接着材を用いた誘導結合によって、または他の結合方法によって中間部３４へと固着される。近位部３０及び遠位部３２は、中間部３４と連結するための結合端部３８、４０を含み得る。結合端部３８、４０は、近位部３０及び遠位部３２の本体４２、４４の外径より小さいかまたはそれらからそれぞれはめ込まれるような外径を持ち得る。結合端部３８、４０の外径は中間部３４の内径に正確に一致し、それにより結合端部３８、４０は中間部３４内にスライド可能に嵌め合う。結合端部３８、４０は、中間部３４と連結し、かつ結合するための表面を提供する。近位部３０は、近位端部に外科用器具のハンドピース（図示せず）との接続のためのハブ４６を含む。遠位部３２の遠位端部４８は、所望の処置を実行するのに適した性質の切除先端部（図示せず）と接続するのに適している。中間部３４の外径は、本体４２、４４に沿う近位部３０及び遠位部３２の外径と実質的に等しい。本体４２、４４の外径は、実質的に等しい。組み立てられた時、第１管状部材２４の外径は、近位部３０、遠位部３２、及び中間部３４に沿って実質的に一定であり、ハブ４６のみがより大きい外径を持つ。
【００１５】
図３では直線状で示されるが、中間部３４は柔軟性があり、かつ内側部材２０が外側部材１８内で同軸上に配置される時、外側部材１８の、湾曲したかまたは角度の付いた領域（複数可）に適合するよう構成される。内側部材２０が外側部材１８内で同軸上に配置さ
れるので、内側部材２０の中間部３４は、外側部材１８の曲げられたかまたは湾曲した部分に沿って配置される。中間部３４は、あらゆる所望の角度で曲がり得る。例えば、中間部３４は、２０°、４５°、９０°、１２０°、または１２０°以上で曲がり得る。所望の適用及び処置のために提供するのに適切な他の角度も同様に適している。中間部３４は、湾曲した外側部材１８内で回転する時にねじれたり破損したりすることから防ぐのに十分な厚みを有する。
【００１６】
図２から図４をさらに参照すると、第２管状部材２６は、対向する近位部分５０と遠位部分５２、及び近位部分５０と遠位部分５２の間に延びる中央部分５４を含む。図３では直線状で説明されるが、中央部分５４は、中央部分５４に沿って縦方向の柔軟性を提供するためにらせん状のカットパターンを含む。らせん状カットは、第２管状部材２６の厚みを通して外側表面と内側表面の間に延びる。らせん状カットは、第２管状部材２６の中央縦軸との角度を画定する。らせん状カットは、第２管状部材２６の長さに沿って柔軟性のある領域を画定する。中央部分５４は、内側部材２０が曲げられたかまたは角度の付いた外側部材１８の形状内で回転し、かつそこへ適合する際の、内側部材２０の柔軟性のある領域に沿って柔軟性及び力の伝達を提供する。
【００１７】
第１管状部材２４と共に組み立てられる時、中央部分５４は、第１管状部材２４の柔軟性のある中間部３４の周囲で同軸上に配置される。１つの実施形態では、中央部分５４の長さＬ２は、中間部３４の長さＬ１よりもわずかに短い。同軸上に配置される時、柔軟性のあるらせん状カットされた中央部分５４は、第１端部３６ａと第２端部３６ｂ間の柔軟性のある中間部５４に沿って終結する。近位部分５０は、近位部３０の周囲で同軸上に配置され、かつそこに固定され、遠位部分５２は、遠位部３２の周囲で同軸上に配置され、かつそこに固定される。第２管状部材２６は、例えばステンレス鋼といったような剛性素材で形成され得る。近位部分５０と遠位部分５２の終結端部は、レーザー溶接または他の適切な結合方法によって近位部３０と遠位部３２にそれぞれ固着され得る。
【００１８】
いくつかの実施形態では、第３管状部材２８が含まれ、かつ第１管状部材２４と第２管状部材２６の上で同軸上に配置される。第３管状部材２８は第２管状部材２６と類似しており、対向する近位部分６０と遠位部分６２、及び近位部分６０と遠位部分６２の間に延びる中央部分６４を含む。１つの実施形態では、中央部分６４は、中央部分６４に沿って縦方向の柔軟性を提供するためにらせん状のカットパターンを含む。らせん状カットは、第３管状部材２８の厚みを通して外側表面と内側表面の間に延びる。らせん状カットは、第３管状部材２８の中央縦軸との角度を画定し、第２管状部材２６の中央部分５４におけるらせん状カットの角度から概して反対方向である。例えば、左のハンドレーザーカットが第２管状部材２６に施される時、右のハンドレーザーカットが第３管状部材２８に施される。らせん状カットは、第３管状部材２８の長さに沿って柔軟性のある領域を画定する。第１管状部材２４及び第２管状部材２６と共に組み立てられる時、中央部分６４は、柔軟性のある中間部３４と中央部分５４に沿って同軸上に配置される。中央部分５４は、内側部材２０が曲げられたかまたは角度の付いた外側部材１８の形状内で回転し、かつそこへ適合する際の、第１管状部材２４の柔軟性のある領域に沿って柔軟性及び力の伝達を提供する。
【００１９】
１つの実施形態では、中央部分６４は、中央部分５４の長さＬ２よりも短く、かつ中間部の長さＬ１よりも短い長さＬ３を有する。いずれにしても、第２管状部材２６の全長は、第３管状部材２８の全長よりも長く、それによって同軸上に配置された時に、近位部分６０が近位部分５０に固定され、かつ遠位部分６２が遠位部分５２へと固定される。１つの実施形態では、第３管状部材２８は、例えばステンレス鋼といったような剛性素材で形成される。近位部分６０と遠位部分６２の終結端部は、レーザー溶接または他の適切な結合方法によって近位部分５０と遠位部分５２にそれぞれ固着され得る。
【００２０】
他の実施形態では、第３管状部材２８は、柔軟性のあるプラスチック素材で形成される。例えば、第３管状部材２８は、ポリテトラフルオロエチレン（ＰＴＦＥ）またはフッ化エチレンプロピレン（ＦＥＰ）といったような熱可塑性素材で形成され得る。この実施形態における第３管状部材２８の内面及び外面は、概して滑らかであり、かつ溝、カット等によって乱されない。この実施形態では、第３管状部材２８は、内側管状部材２０が外側管状部材１８内で回転する際の内側管状部材２０と外側管状部材１８間の摩擦係数を低減する。組み立てられた時、第３管状部材２８は、中央部分５４の長さに沿って完全に延び、かつ第２管状部材２６の対向する近位部分５０と遠位部分５２で終結する。第３管状部材２８は、誘導結合または他の適切な方法で第２管状部材２６へと固着される。
【００２１】
第３管状部材２８のない内側部材２０は、単一方向へ回転する外科用器具に適している。第３管状部材２８は、例えば振動外科用器具に含まれることが望まれ得る。らせん状カットされた中央部分６４を有する第３管状部材２８を含む実施形態では、第２管状部材２６及び第３管状部材２８における対向する方向でのらせん状カットを含むことによって、第２管状部材２６のらせん状カットの反対方向に回転する時に振動中における中央部分５４の望ましくない巻き戻しを防ぐ。熱可塑性物質で形成された第３管状部材２８を含む実施形態では、第２管状部材２６のらせん状カットの反対方向に回転する時、振動する際の中央部分５４の望ましくない巻き戻しを同様に防ぐ。
【００２２】
本開示が好適な実施形態を参照して記述されてきたが、方式及び詳細においては変更が本開示の趣旨及び範囲から逸脱することなく行われ得ることが当業者は認識するであろう。
【図１】
2020203108.tif 000003
【図２】
2020203108.tif 000004
【図３】
2020203108.tif 000005
【図４】
2020203108.tif 000006
【手続補正書】
【提出日】令和2年10月15日(2020.10.15)
【手続補正１】
【補正対象書類名】特許請求の範囲
【補正対象項目名】全文
【補正方法】変更
【補正の内容】
【特許請求の範囲】
【請求項１】
回転外科用切除器具の角度付き外側管状部材内で回転可能な内側部材であって、
剛性の遠位部と剛性の近位部との間で軸方向に配置された柔軟性のある中間部を含む第１の管状部材であって、前記遠位部及び近位部は、第１の素材から構成され、前記中間部は、前記第１の素材とは異なる第２の素材から構成される、第１の管状部材と、
前記第１の管状部材の周囲に同軸に配置され、剛性の遠位部分と剛性の近位部分との間に配置された柔軟性のある中央部分を有する第２の管状部材であって、前記中央部分は、前記柔軟性のある中間部の周囲に配置され、前記外側管状部材に対して回転されるときに前記第１の管状部材が曲がることを可能にする、第２の管状部材と、
を含む内側部材。
【請求項２】
前記第２の管状部材の前記遠位部分、中央部分、及び、近位部分は、同じ素材から構成される、請求項１に記載の内側部材。
【請求項３】
前記第２の管状部材は、前記第１の管状部材の前記近位部及び前記遠位部に固定式に取り付けられる、請求項１に記載の内側部材。
【請求項４】
前記第１の管状部材の前記遠位部は、切除先端部に結合されるように構成される、請求項１に記載の内側部材。
【請求項５】
前記第１の管状部材は、前記遠位部、前記中間部、及び、前記近位部に沿って実質的に一致した外径を含む、請求項１に記載の内側部材。
【請求項６】
前記第１の管状部材の前記中間部の長さは、前記第２の管状部材の前記中央部分の長さよりも大きい、請求項１に記載の内側部材。
【請求項７】
前記第２の管状部材は、前記中央部分に沿って第１の方向にらせん状にカットされる、請求項１に記載の内側部材。
【請求項８】
前記第２の管状部材の周囲に同軸に配置された第３の管状部材を更に含み、
前記第３の管状部材は、柔軟性のある中央部分を含み、
前記第３の管状部材の前記柔軟性のある中央部分は、前記第２の管状部材の前記中央部分の上に配置される、請求項１に記載の内側部材。
【請求項９】
前記外側管状部材は、切除窓を含み、
前記内側部材は、前記切除窓に配置された切除先端部を含み、
前記回転外科用切除器具は、前記内側部材を前記外側管状部材内で回転させるために、及び、前記切除先端部を前記切除窓内で選択的に露出させるために、前記内側部材に結合されたハンドピースを含む、請求項１に記載の内側部材。
【請求項１０】
前記ハンドピースは、前記内側管状部材を振動させる、請求項９に記載の内側部材。
【外国語明細書】
2020203108000001.pdf